(57)【要約】      （修正有）【課題】同時に多くの撮影角度を取られる監視カメラを提供する。【解決手段】複数画角で撮影可能な監視カメラは、ベース１０及び複数のレンズセット３０、３０’を有し、ベース１０は、組立柱１１を備え、組立柱１１の長手方向を第一軸方向とし、レンズセット３０、３０’は、ベース１０の組立柱１１に枢設され、第一軸方向を軸心として全角度に回転することが可能であり、それのレンズセット３０、３０’を適当に調整すれば、１台の監視カメラで多くの撮影角度を撮影できる。【選択図】図１
0003191882.tif 000002
【実用新案登録請求の範囲】
【請求項１】
組立柱を備え、該組立柱の長手方向を第一軸方向とするベースと、
前記ベースの組立柱に枢設され、第一軸方向を軸心として全角度に回転することが可能である複数のレンズセットとを有することを特徴とする複数画角で撮影可能な監視カメラ。
【請求項２】
前記レンズセットは、枢転アームと、レンズと、枢転軸とを備え、該枢転アームは、一端に組立柱の外径と対応する取付穴が形成され、該取付穴を介して第一軸方向と垂直するように組立柱に環設され、該レンズは、枢転アームの他端に枢設され、該枢転軸は、第一軸方向と平行しないようにレンズ及び枢転アームの他端に貫設されることを特徴とする請求項１に記載の複数画角で撮影可能な監視カメラ。
【請求項３】
前記レンズが第一軸方向と垂直する方向に沿ってレンズ及び枢転アームの他端に貫設されることを特徴とする請求項２に記載の複数画角で撮影可能な監視カメラ。
【請求項４】
前記ベースは、プレート及びカバーを備え、該カバーがプレートの底面周縁に組み合わせられることを特徴とする請求項２または３に記載の複数画角で撮影可能な監視カメラ。
【請求項５】
前記組立柱がボルトであり、プレートを通過するように上方から下方へ挿設され、
前記ナットがプレートの下側にて組立柱に螺合され、
前記枢転アームの一端の下側にてもう１つのナットが組立柱に螺合されることを特徴とする請求項４に記載の複数画角で撮影可能な監視カメラ。
【請求項６】
前記枢転アームの他端が斜め下方へ湾曲するように設けられることを特徴とする請求項４または５に記載の複数画角で撮影可能な監視カメラ。
【考案の詳細な説明】
【技術分野】
【０００１】
本考案は、特に同時に多くの撮影角度を取ることができる監視カメラに関するものである。
【背景技術】
【０００２】
監視カメラは、犯罪行為の抑止と犯罪行為の証拠の記録を目的として、住宅または公共の場所によく設置される。
【０００３】
図５に示すように、一般的な売店や店舗などの室内の場所に設置された監視カメラ９０は、通常１つのレンズ９１を備え、一方の方向しか撮影できないので、室内の空間を全面的に監視することができない。このため、監視カメラ９０の撮影できない死角を減少するために、使用者が室内に複数台の監視カメラ９０をそれぞれ異なる方向に向かって設置することが必要であり、施工の時間または設備の費用がかなり掛かり、空間の美観性にも劣る。
なお、複数台の監視カメラ９０を設置する時に、それらの監視カメラがそれぞれ適当なところに装着することができない場合もあるので、撮影可能な角度には制限がある。例えば、図５に示した監視カメラ９０を図面の右上方の隅部に設置すれば、もう一台の監視カメラ９０’を図面の右下方の隅部に設置しなければならず、壁に遮蔽されて左上方の斜線区域を取れなくなる。
【考案の概要】
【考案が解決しようとする課題】
【０００４】
既存の監視カメラは、１つのレンズしか備えないと共に、撮影できる角度も一方の方向しかないことから、死角を生じ、複数台の監視カメラをそれぞれ異なる方向に向かうように設置しなければならず、施工の時間または設備の費用がかなり掛かる。
【課題を解決するための手段】
【０００５】
上述した問題を解決するために、本考案に係る複数画角で撮影可能な監視カメラは、ベース及び複数のレンズセットを有し、該ベースは、組立柱を備え、該組立柱の長手方向を第一軸方向とし、該レンズセットは、該ベースの組立柱に枢設され、第一軸方向を軸心として全角度に回転することが可能である。
【０００６】
かかる複数画角で撮影可能な監視カメラにおいて、前記レンズセットは、枢転アームと、レンズと、枢転軸とを備え、該枢転アームは、一端に組立柱の外径と対応する取付穴が形成され、該取付穴を介して第一軸方向と垂直するように組立柱に環設され、該レンズは、枢転アームの他端に枢設され、該枢転軸は、第一軸方向と平行しないようにレンズ及び枢転アームの他端に貫設されることが好ましい。
【０００７】
かかる複数画角で撮影可能な監視カメラにおいて、前記レンズが第一軸方向と垂直する方向に沿ってレンズ及び枢転アームの他端に貫設されることが好ましい。
【０００８】
かかる複数画角で撮影可能な監視カメラにおいて、前記ベースは、プレート及びカバーを備え、該カバーがプレートの底面周縁に組み合わせられることが好ましい。
【０００９】
かかる複数画角で撮影可能な監視カメラにおいて、前記組立柱がボルトであり、プレートを通過するように上方から下方へ挿設され、
前記ナットがプレートの下側にて組立柱に螺合され、
前記枢転アームの一端の下側にてもう１つのナットが組立柱に螺合されることが好ましい。
【００１０】
かかる複数画角で撮影可能な監視カメラにおいて、前記枢転アームの他端が斜め下方へ湾曲するように設けられることが好ましい。
【考案の効果】
【００１１】
本発明に係る複数画角で撮影可能な監視カメラは、状況、場所によって、適当なところに設置され、それらのレンズセットを調整すると、それぞれ異なる方向に向かって異なる撮影角度を取られ、監視カメラを設置する台数を減少でき、空間の美観性にも優れる。
【図面の簡単な説明】
【００１２】
【図１】本考案に係る複数画角で撮影可能な監視カメラの分解斜視図である。
【図２】本考案に係る複数画角で撮影可能な監視カメラの側面視平面図である。
【図３】本考案に係る複数画角で撮影可能な監視カメラの底面視平面図である。
【図４】本考案に係る複数画角で撮影可能な監視カメラにおいて、使用状態を示す説明図である。
【図５】既存の監視カメラを設置する状態を示す説明図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案に係る複数画角で撮影可能な監視カメラは、ベース１０及び複数のレンズセット３０、３０’を有し、その内、本実施例におけるベース１０は、プレート１０１及びカバー１０２を備え、該カバー１０２がプレート１０１の底面周縁に組み合わせられる。該ベース１０は、組立柱１１及びナット１２を備え、該組立柱１１は、ボルトであってもよく、プレート１０１の中心を通過するように上方から下方へ挿設され、該ナット１２がプレート１０１の下側にて組立柱１１に螺合され、且つ、該組立柱１１の長手方向を第一軸方向とし、該長手方向と垂直する方向を第二軸方向とする。
【００１５】
前記レンズセット３０、３０’は、カバー１０２の内部に設置され、ベース１０の組立柱１１に枢設され、第一軸方向を軸心として全角度に回転することが可能である、本実施例におけるレンズセット３０、３０’は、枢転アーム３１と、レンズ３２と、枢転軸３３とを備え、該枢転アーム３１は、一端に組立柱１１の外径と対応する取付穴３１１が形成され、該取付穴３１１を介して組立柱１１に環設され、ナット１２’が枢転アーム３１の下側にて組立柱１１に螺合され、該ナット１２’によって枢転アーム３１を第一軸方向と垂直するようにプレート１０１に固定することができる。該レンズ３２は、枢転アーム３１の他端に枢設され、該枢転軸３３は、第一軸方向と平行しないと共に、第二軸方向に沿ってレンズ３２及び枢転アーム３１の他端に貫設され、この構造によれば、このレンズ３２を枢転アーム３１に枢設することができる。なお、レンズセット３０、３０’の撮影角度を広くするために、枢転アーム３１の他端が斜め下方へθ度に湾曲するように設けられる。
【００１６】
図３及び図４に示すように、本実施例における監視カメラにおいて、レンズセット３０、３０’がそれぞれ異なる角度を撮影できることから、状況、場所によって設置台数を減少できる。本考案における監視カメラを有すれば、スペシャルレイアウトの場合でも設置台数を減少でき、例えば、図４に示した空間において、１台の監視カメラを右上方の隅部に設置すると、その２つのレンズセット３０、３０’をそれぞれ異なる方向に向けて調整することができ、異なる場所に設置された２台の監視カメラに比べるとより広画角を取れ、撮影できない死角も減少でき、使用上に便利である。
【００１７】
本実施例における監視カメラにおいて、その２つのレンズセット３０、３０’を調整する時に、その第一軸方向を軸心として枢転アーム３１を適当な角度に枢転することができると共に、その枢転軸３３によって第二軸方向を軸心としてレンズ３２を適当な角度に枢転することもできる。つまり、１台の監視カメラなのに、２つのレンズセット３０、３０’をそれぞれ異なる方向に向けるように調整することができ、監視可能な撮影角度が広くなる。
【００１８】
本実施例は、２つのレンズセット３０、３０’を有する監視カメラを例として説明するが、３つ、４つ、それより多くのレンズセット３０、３０’を有してもよい。それらのレンズセット３０、３０’がそれぞれ枢転アーム３１の一端を介して枢転可能に組立柱１１に環設されると共に、それらのレンズセット３０、３０’の下側にてナット１２’が組立柱１１に螺合され、それらのレンズセット３０、３０’を組立柱１１に固定すればよい。上述した構造を有すれば、１台の監視カメラなのに、複数の撮影角度を取れ、使用上に非常に便利であり、施工の時間または設備の費用を節約することができる。
【符号の説明】
【００１９】
１０  ベース
１０１  プレート
１０２  カバー
１１  組立柱
１２、１２’  ナット
３０、３０’  レンズセット
３１  枢転アーム
３１１  取付穴
３２  レンズ
３３  枢転軸
９０、９０’  監視カメラ
９１  レンズ
【図１】
0003191882.tif 000003
【図２】
0003191882.tif 000004
【図３】
0003191882.tif 000005
【図４】
0003191882.tif 000006
【図５】
0003191882.tif 000007